(57)【要約】【課題】  運転部の足元に配備された板金構造のステップの上に弾性樹脂材からなるフロアマットを敷設した農作業機のステップ構造において、ステップに形成したメンテナンス用の開口の開閉操作を簡単に行えるようにする。【解決手段】  ステップ２１にメンテナンス用の開口３０を形成し、この開口３０を閉塞する板金構造の蓋板３１をフロアマット２２に保持してある。【選択図】        図５
2006205915.tif 000002
【特許請求の範囲】
【請求項１】
運転部の足元に配備された板金構造のステップの上に弾性樹脂材からなるフロアマットを敷設した農作業機のステップ構造であって、
前記ステップにメンテナンス用の開口を形成し、この開口を閉塞する板金構造の蓋板を前記フロアマットに保持してあることを特徴とする農作業機のステップ構造。
【請求項２】
前記開口に対向するマット部分をめくり上げるための切り込みを前記フロアマットに形成してある請求項１記載の農作業機のステップ構造。
【請求項３】
前記蓋板を前記フロアマットに埋設してある請求項１または２記載の農作業機のステップ構造。
【請求項４】
前記蓋板に前記開口に嵌入する下向きの凸部を形成するとともに、この凸部の外周をマット材で覆ってある請求項１〜３のいずれか一項に記載の農作業機のステップ構造。
【請求項５】
前記開口を、ステップ下方に配備されたバッテリの出し入れに足る大きさに形成してある請求項１〜４のいずれか一項に記載の農作業機のステップ構造。
【請求項６】
前記開口を、ステップ下方に配備された燃料タンクの補給口に臨設してある請求項１〜４のいずれか一項に記載の農作業機のステップ構造。
【発明の詳細な説明】
【技術分野】
【０００１】
本発明は、田植機やコンバインなどの農作業機におけるステップ構造に関する。
【背景技術】
【０００２】
農作業機の一例である田植機では、運転部の足元に配備された板金構造のステップの上に弾性樹脂材からなるフロアマットを敷設することが多い（特許文献１参照）。また、ステップの下方に配備されたバッテリなどの備品を点検するためのに、ステップにメンテナンス用の開口を形成して蓋板で閉塞する構造も多用されている（特許文献２参照）。
【特許文献１】特開２００３−１７５８６４号公報
【特許文献２】特開平９−３００９８６号公報
【発明の開示】
【発明が解決しようとする課題】
【０００３】
ステップにメンテナンス用の開口を形成して蓋板で閉塞する構造においてステップの上にフロアマットを敷設する場合、開口を開放するにはマットをめくり上げてから蓋板を開放操作することになり、操作が煩わしいものとなる。
【０００４】
本発明は、このような点に着目してなされたものであって、メンテナンス用の開口の開閉操作を簡単に行えるようにすることを目的としている。
【課題を解決するための手段】
【０００５】
第１の発明は、運転部の足元に配備された板金構造のステップの上に弾性樹脂材からなるフロアマットを敷設した農作業機のステップ構造であって、
前記ステップにメンテナンス用の開口を形成し、この開口を閉塞する板金構造の蓋板を前記フロアマットに保持してあることを特徴とする。
【０００６】
上記構成によると、フロアマットをめくり上げることで蓋板が外されて開口が露出され、また、フロアマットを敷き戻すと蓋板が開口に装着されて、開口の上を歩くことが可能となる。
【０００７】
従って、第１の発明によると、フロアマットのめくり上げおよび敷き戻し操作で蓋板の開閉をも行うことができ、メンテナンス作業性を向上することができる。
【０００８】
第２の発明は、上記第１の発明において、
前記開口に対向するマット部分をめくり上げるための切り込みを前記マットに形成してあるものである。
【０００９】
上記構成によると、開口を開放する場合に、小さいマット部分だけをめくり上げればよく、マットめくり上げ操作が一層容易となる。
【００１０】
第３の発明は、上記第１または２の発明において、
前記蓋板を前記マットに埋設してあるものである。
【００１１】
上記構成によると、フロアマットに埋設された蓋板は外部に露出することがないので錆付くおそれがなく、長期間好適に使用することができる。
【００１２】
第４の発明は、上記第１〜３のいずれか一つの発明において、
前記蓋板に前記開口に嵌入する下向きの凸部を形成するとともに、この凸部の外周をマット材で覆ってあるものである。
【００１３】
上記構成によると、蓋板が開口に嵌入装着された際、蓋板の凸部が開口の口縁に直接に接触することがなく、機体振動によって開口の口縁と凸部との金属接触による騒音が発生することを回避することができる。
【００１４】
第５の発明は、上記第１〜４のいずれか一つの発明において、
前記開口を、ステップ下方に配備されたバッテリの出し入れに足る大きさに形成してあるものである。
【００１５】
上記構成によると、バッテリを出し入れする大きい開口でも板金構造の蓋板で閉塞してステップと面一にすることで、開口にフロアマットを落込み変形させることなくその上を歩行することができる。
【００１６】
第６の発明は、上記第１〜４のいずれか一つの発明において、
前記開口を、ステップ下方に配備された燃料タンクの補給口に臨設してあるものである。
【００１７】
上記構成によると、ステップ上に補給用タンクを載置して燃料補給を行うことができ、例えば、エンジンボンネット上部や運転座席後方の後部フェンダに燃料タンクの補給口が配備される仕様のものに比較して燃料補給作業を低い位置で容易に行うことができる。
【発明を実施するための最良の形態】
【００１８】
図１に、農作業機の一例にあげた乗用型田植機の全体側面が、また、図２にその平面がそれぞれ示されている。この田植機は、操向自在な前輪１と操向不能な後輪２を備えた四輪駆動型の走行機体３の後部に、油圧シリンダ４で駆動される平行四連リンク構造の昇降リンク機構５を介して苗植付け装置６が連結され、また、走行機体３の後部に設けた運転座席７の後方箇所に施肥装置８が配備されるとともに、走行機体３の前部中央にエンジンボンネット９、操縦パネル１０、ステアリングハンドル１１、等が備えられ、更に、エンジンボンネット９の左右両脇に予備苗のせ台１２が立設装備された構造となっている。
【００１９】
前記苗植付け装置６は６条植え仕様に構成されて前記昇降リンク機構５の後端下部にローリング自在に連結支持されており、マット状苗を載置して一定ストロークで往復横移動する苗のせ台１３、この苗のせ台１３の下端から１株分づつ苗を切り出して田面に植付けてゆく６組の回転式の植付け機構１４、田面の植付け箇所を均平整地する３個の整地フロート１５、等を備えている。
【００２０】
前記施肥装置８は、肥料ホッパ１６に貯留した粒状の肥料を設定量づつ繰出して、電動ブロワ１７からの搬送風によって６本の供給ホース１８に送り出し、前記整地フロート１５に取り付けた６個の作溝器１９にまで風力搬送し、作溝器１９によって植付け苗の横側近傍の田面に形成した施肥溝に肥料を送込んで埋設するように構成されている。
【００２１】
走行機体３の上部に板金プレス構造のステップ２１が搭載連結されるとともに、その上にゴム製のフロアマット２２が敷設されている。図３に示すように、ステップ２１は、エンジンボンネット９を前部および左右から囲む前部ステップ２１Ｆと、その後部に接続される主ステップ２１Ｍとから構成され、主ステップ２１Ｍの後部が隆起されてフェンダ部２１Ｂが一体形成されるとともに、このフェンダ部２１Ｂの左右扁平部に滑り止め状にプレス成形された足載せ部Ｓが形成されている。
【００２２】
また、ステップ２１の左右には、苗のせ台１３の左右端部への苗補給を容易にするために拡張ステップ３８が配備されている。この拡張ステップ３８は、前輪１を透視可能に樹脂成形されたスノコ状の前部拡張ステップ３８ａと、板金プレス構造の後部拡張ステップ３８ｂとから構成されており、この後部拡張ステップ３８ｂの外端下部に乗降用ステップ３９が連結されている。
【００２３】
図４〜６に示すように、前記前部ステップ２１Ｆの右側下面には、帯板材をＵ形に屈曲形成してなる前後一対のステー２４が取付けられており、このステー２４に亘ってバッテリ２５が支持ケース２６を介して吊り下げ装備されている。前記支持ケース２６は板材をＵ形に屈曲形成して構成されており、その前後壁２６ａの上部から前後に突設した切出し片２６ｂをステー２４の下辺２４ａに載せ付け支持するとともに、バッテリ２５の上に被せた押え棒２７の前後両端部を切出し片２６ｂに重ね、これら押え棒２７、切出し片２６ｂ、および、ステー２４の下辺２４ａに亘って樹脂製のホック２８を貫通係止することでバッテリ２５を固定支持するよう構成されている。また、支持ケース２６の前後壁２６ａの上部は切出し片２６ｂの切り抜き孔に手指を挿通孔する取っ手に構成されており、図７に示すように、ホック２８を抜き外すことでバッテリ２５を支持ケース２６ごと前部ステップ２１Ｆに形成した開口３０から持上げ脱着することができるようになっている。
【００２４】
前部ステップ２１Ｆに形成された開口３０は、バッテリ２５を支持ケース２６ごと出し入れするに足る大きさの矩形に形成されており、この開口３０がフロアマット２２に埋設された板金構造の蓋板３１で閉塞されるようになっている。蓋板３１の下面には開口３０に嵌入する凸部３１ａが形成されるとともに、この凸部３１ａもマット材で覆われており、蓋板３１は金属接触することなく開口３０を閉塞するようになっている。
【００２５】
また、走行機体３における右側後部に 燃料タンク３３が配備されており、この燃料タンク３３の補給口３３ａに臨む円形の開口３４が前記主ステップ２１Ｍの右側後部に形成されている。そして、図８に示すように、この開口３４を閉塞する円形の蓋板３５がフロアマット２２に埋設保持されるとともに、この蓋板３５にもマット材で覆われた凸部３５ａが円形に形成されて開口３４に嵌入されるようになっている。なお、図２に示すように、この蓋板保持箇所の前方において、フロアマット２２に切り込み３６が形成されており、切り込み３６より後方の小さいマット部分２２ａをめくり上げることで蓋板３５を外して開口３４を開放し、補給口３３ａを露出させることができるようになっている。
【００２６】
〔他の実施例〕
【００２７】
（１）図９に示すように、前記蓋板３１，３５をフロアマット２２の下面に沿って位置決め装備するとともに、フロアマット２２から突設した連結突起２２ｂを貫通止着してフロアマット２２に蓋板３１，３５を保持するようにして実施することもできる。
【００２８】
（２）図１０に示すように、前記拡張ステップ３８における板金構造の後部拡張ステップ３８ｂの内の右側の後部拡張ステップ３８ｂに蓋板４０で開閉される開口４１を形成し、この開口４１の下部に燃料タンク３３の補充口３３ａを臨設する形態で実施することもできる。
【００２９】
（３）予備苗を巻き込んで機体に収容する南方地域向けの機種では、図１１に示すように、前部拡張ステップ３９ａを機体前端まで延長してフロア面積を大きき確保し、ここに多数の巻き苗Ｍを載置収容できるようにするとよい。
【図面の簡単な説明】
【００３０】
【図１】田植機の全体側面図
【図２】田植機の全体平面図
【図３】フロアマットを取り除いたステップの平面図
【図４】フロアマットめくり上げ状態の開口を示す平面図
【図５】開口部位の縦断側面図
【図６】開口部位の縦断正面図
【図７】バッテリ取り出し状態における開口部位の縦断側面図
【図８】別の開口部位の縦断面図
【図９】別手段で蓋板を支持したマットの縦断面図
【図１０】別実施例の田植機を示す全体平面図
【図１１】更に別の実施例の田植機を示す全体平面図
【符号の説明】
【００３１】
２１              ステップ
２２              フロアマット
２２ａ            マット部分
３０              開口
３１              蓋板
３１ａ            凸部
３３              燃料タンク
３３ａ            補給口
３４              開口
３５              蓋板
３５ａ            凸部
【図１】
2006205915.tif 000003
【図２】
2006205915.tif 000004
【図３】
2006205915.tif 000005
【図４】
2006205915.tif 000006
【図５】
2006205915.tif 000007
【図６】
2006205915.tif 000008
【図７】
2006205915.tif 000009
【図８】
2006205915.tif 000010
【図９】
2006205915.tif 000011
【図１０】
2006205915.tif 000012
【図１１】
2006205915.tif 000013